(57)【要約】【課題】、取り外した建具を収容せずに利用できる建具セットを提供すること。【解決手段】襖セット１（建具セット）は、襖２と、襖２を壁に飾る第１壁掛け具３を有する。第１壁掛け具３は、襖２の上桟１５を保持する上桟保持具６５と、上桟保持具６５に対向して配置されて襖２の下桟１６を保持する下桟保持具６６を備える。上桟保持具６５の上桟保持具本体６７は、襖２の上桟１５に設けられた上桟側突条２２を挿入可能な鴨居溝７３を備える。下桟保持具６６の下桟保持具本体９１は、襖２の下桟１６に設けられた下桟側突条２６を挿入可能な敷居溝９５を備える。部屋を仕切る襖２を取り外したときに、第１壁掛け具３を利用して襖２を壁に飾り付けて、インテリアとして利用できる。【選択図】図１
2016176227.tif 000002
【特許請求の範囲】
【請求項１】
建具と、
前記建具を壁に飾る壁掛け具と、
を有することを特徴とする建具セット。
【請求項２】
請求項１において、
前記壁掛け具は、前記建具の上桟を保持する上桟保持具と、前記上桟保持具に対向して配置されて前記建具の下桟を保持する下桟保持具と、を備え、
前記上桟保持具は、鴨居溝を備え、
前記下桟保持具は、敷居溝を備えることを特徴とする建具セット。
【請求項３】
請求項２において、
前記建具は、当該建具の幅方向における前記上桟の端に上方から切り欠いた切り欠き部を備え、
前記上桟保持具は、前記鴨居溝の延設方向で当該鴨居溝と隣り合う位置に前記切り欠き部に挿入可能な挿入部を備えることを特徴とする建具セット。
【請求項４】
請求項２または３において、
前記上桟保持具は、前記鴨居溝を備える保持具本体と、前記下桟保持具と対向する対向方向で前記保持具本体を移動可能に支持する支持機構と、を備えることを特徴とする建具セット。
【請求項５】
請求項１ないし４のうちのいずれかの項において、
前記建具は、表面に漆喰が塗布されていることを特徴とする建具セット。
【請求項６】
請求項１において、
前記建具の建具部分を壁に飾る第２の壁掛け具を有し、
前記建具は、上桟および下桟により挟まれた建具本体を有し、
前記建具本体は、開口部を備え、
前記建具部分は、前記開口部に着脱可能に装着されていることを特徴とする建具セット。
【請求項７】
請求項６において、
前記建具部分は、表面に漆喰が塗布されていることを特徴とする建具セット。
【請求項８】
開口部を備える建具本体および当該開口部に着脱可能に装着された建具部分を備える建具と、
前記建具部分を壁に飾る壁掛け具と、
を有することを特徴とする建具セット。
【発明の詳細な説明】
【技術分野】
【０００１】
本発明は、建具や建具の一部分をインテリアとして使用できる建具セットに関する。
【背景技術】
【０００２】
表面に漆喰を塗布した化粧層を備える建具は特許文献１に記載されている。漆喰は、消石灰、水、および糊剤に、藁や麻、海藻などを練り合わせたものである。従って、漆喰を塗った建具は、自然の繊維による表面の質感が趣のある美観を生じさせる。また、漆喰には、湿度を調節して結露を抑制する調湿機能、消臭機能、防カビ機能、ホルムアルデヒドなどの化学物質を吸着して分解する機能がある。従って、漆喰の化粧層を備える建具を間仕切りに用いれば、これらの機能の恩恵を受けることができる。特許文献１の建具は、炭酸カルシウム系発泡板を芯材とし、その表面に漆喰を塗っている。
【先行技術文献】
【特許文献】
【０００３】
【特許文献１】特開２００９−３５８６８号公報
【発明の概要】
【発明が解決しようとする課題】
【０００４】
風通しの確保や採光のために、部屋を仕切る建具を取り外して、屋内に開放的な空間を設けることがある。この場合、取り外した建具は納戸などに収納される。しかし、建具を収納してしまうと、それまで建具によって醸し出されていた趣がなくなり、空間が味気ないものとなってしまうことがある。また、建具を収納してしまうと、建具が備える調湿などの機能の恩恵を得ることができなくなる。
【０００５】
本発明の課題は、かかる点に鑑みて、取り外した建具を納戸などに収容せずに利用できる建具セットを提供することにある。
【課題を解決するための手段】
【０００６】
上記課題を解決するために、本発明の建具セットは、建具と、前記建具を壁に飾る壁掛け具と、を有することを特徴とする。
【０００７】
本発明によれば、部屋を仕切る建具を取り外したときに、壁掛け具を利用して建具を壁に飾り付けて、インテリアとして利用できる。従って、取り外した建具によって空間を演出できる。
【０００８】
本発明において、前記壁掛け具は、前記建具の上桟を保持する上桟保持具と、前記上桟保持具に対向して配置されて前記建具の下桟を保持する下桟保持具と、を備え、前記上桟保持具は、鴨居溝を備え、前記下桟保持具は、敷居溝を備えることが望ましい。このようにすれば、壁掛け具によって、建具を保持することが容易である。
【０００９】
この場合において、前記建具は、当該建具の幅方向における前記上桟の端に上方から切り欠いた切り欠き部を備え、前記上桟保持具は、前記鴨居溝の延設方向で当該鴨居溝と隣り合う位置に前記切り欠き部に挿入可能な挿入部を備えるものとすることができる。このようにすれば、建具が鴨居溝の延設方向に移動したときに、建具の上桟と上桟保持具の挿入部が当接するので、建具が壁掛け具から外れてしまうことを防止できる。
【００１０】
本発明において、前記上桟保持具は、前記鴨居溝を備える保持具本体と、前記下桟保持
具と対向する対向方向で前記保持具本体を移動可能に支持する支持機構と、を備えることが望ましい。このようにすれば、上桟保持部の保持具本体が下桟保持具に対して接近する方向および離間する方向に移動するので、上桟保持具と下桟保持具の間に建具を装着することが容易である。また、建具を上桟保持具と下桟保持具との間に保持した後に、上桟保持具の保持具本体を下桟保持具の側に移動させれば、建具と保持具本体とを隙間なく密着させることができる。従って、壁掛け具を用いて建具を壁に飾り付けたときの美観が向上する。
【００１１】
本発明において、前記建具は、表面に漆喰が塗布されていることが望ましい。漆喰が塗布された建具の表面は、自然の繊維などによる表面の質感が趣のある美観を生じさせる。従って、建具を間仕切りとして用いた場合、および、建具を壁に飾り付けた場合に、空間を演出できる。また、漆喰が塗布された建具の表面は、調湿機能、消臭機能、防カビ機能、化学物質の吸着分解機能を有するので、建具を壁面に飾れば、これらの機能の恩恵を受けることができる。
【００１２】
本発明において、前記建具の建具部分を壁に飾る第２の壁掛け具を有し、前記建具は、上桟および下桟により挟まれた建具本体を有し、前記建具本体は、開口部を備え、前記建具部分は、前記開口部に着脱可能に装着されているものとすることができる。このようにすれば、建具部分を建具から取り外すことにより、間仕切りとしている建具を取り外さなくても、風通しの確保や採光が可能となる。また、建具部分を建具から取り外した後に、第２の壁掛け具を利用して建具部分を壁に飾り付け、インテリアとして利用できる。
【００１３】
この場合において、前記建具部分は、表面に漆喰が塗布されていることが望ましい。漆喰が塗布された建具部分の表面は、自然の繊維による表面の質感が趣のある美観を生じさせる。従って、建具部分を建具本体の開口部に装着した場合、および、建具部分を壁に飾り付けた場合に、空間を演出できる。また、漆喰が塗布された建具部分の表面は、調湿機能、消臭機能、防カビ機能、化学物質の吸着分解機能を有するので、建具部分を壁面に飾れば、これらの機能の恩恵を受けることができる。
【００１４】
次に、本発明の建具セットは、開口部を備える建具本体および当該開口部に着脱可能に装着された建具部分を備える建具と、前記建具部分を壁に飾る壁掛け具と、を有することを特徴とする。
【００１５】
本発明によれば、風通しの確保や採光のために建具本体から建具部分を取り外したときに、壁掛け具を利用して建具部分を壁に飾り付けて、インテリアとして利用できる。
【図面の簡単な説明】
【００１６】
【図１】本発明の襖セットの説明図である。
【図２】襖の説明図である。
【図３】封鎖部材の説明図である。
【図４】第１壁掛け具の上桟保持具の説明図である。
【図５】第１壁掛け具の下桟保持具の説明図である。
【図６】第２壁掛け具の説明図である。
【図７】襖および封鎖部材を壁に飾り付けた状態の説明図である。
【発明を実施するための形態】
【００１７】
以下に、図面を参照して、本発明を適用した建具セットの実施の形態を説明する。
【００１８】
図１は本発明の襖セットの説明図である。本例の襖セット１（建具セット）は、襖（建具）２と、第１壁掛け具３と、第２壁掛け具４を有する。第１壁掛け具３は襖２を壁に飾
るものである。第２壁掛け具４は、襖２に設けられた開口部５を封鎖する封鎖部材（建具部分）６を壁に飾るものである。なお、以下の説明では、互いに直交する３方向を、幅方向Ｘ、前後方向Ｙ、上下方向Ｚとする。幅方向Ｘは襖２の幅方向Ｘであり、上下方向Ｚは襖２の上下方向Ｚであり、前後方向Ｙは、幅方向Ｘおよび上下方向Ｚと直交する方向である。
【００１９】
（襖）
図２は襖２の説明図である。図２では、芯材層を構成する断熱材、クラック防止層を構成するグラスファイバーメッシュ、および、化粧層を構成する漆喰を切り欠いて示す。図１および図２に示すように、襖２は、矩形の枠体１１と、この枠体１１により囲まれた襖本体（建具本体）１２を備える。襖本体１２は開口部５を備える。開口部５は、この開口部５に着脱可能に装着された封鎖部材６により封鎖されている。
【００２０】
（枠体）
枠体１１は、襖本体１２を上下方向Ｚから挟む上桟１５および下桟１６と、襖本体１２を襖２の幅方向Ｘから挟む一対の縦桟１７、１８を備える。
【００２１】
上桟１５は、上桟本体２１と、上桟本体２１から上方に突出する上桟側突条２２を備える。上桟側突条２２は、上桟本体２１の上面を幅方向Ｘに一定幅で延びる。上桟側突条２２は、襖２を間仕切りとして使用する際に家屋の鴨居溝に挿入される部分である。上桟１５は、その上桟側突条２２の幅方向Ｘの両端に、上方から切り欠かれた上側切り欠き部２３を備える。従って、上桟側突条２２は、幅方向Ｘの寸法が上桟本体２１の幅方向Ｘの寸法よりも短く、上桟本体２１の幅方向Ｘの中央部分から上方に突出する。
【００２２】
下桟１６は、下桟本体２５と、下桟本体２５から下方に突出する下桟側突条２６を備える。下桟側突条２６は、下桟本体２５の下面を幅方向Ｘに一定幅で延びる。下桟側突条２６は、襖２を間仕切りとして使用する際に家屋の敷居溝に挿入される部分である。下桟１６は、その下桟側突条２６の幅方向Ｘの両端に、下方から切り欠かれた下側切り欠き部２７を備える。従って、下桟側突条２６は、幅方向Ｘの寸法が下桟本体２５の幅方向Ｘの寸法よりも短く、下桟本体２５の幅方向Ｘの中央部分から下方に突出する。
【００２３】
一対の縦桟１７、１８のうちの一方の縦桟１７は、上桟１５の幅方向Ｘの一方の端部分と下桟１６の幅方向Ｘの一方の端部分を接続する。他方の縦桟１８は、上桟１５の幅方向Ｘの他方の端部分と下桟１６の幅方向Ｘの他方の端部分を接続する。
【００２４】
（襖本体）
図２に示すように、襖本体１２は、内側から外側に向って芯材層３１、クラック防止層３２、および、化粧層３３をこの順番に備える。
【００２５】
芯材層３１は、複数本の横組子３５、複数本の縦組子３６、および、断熱材３７を備える。各横組子３５は、幅方向Ｘに延びて左右の縦桟１７、１８に架け渡されている。各縦組子３６は、上下方向Ｚに延びて上桟１５と横組子３５の間、隣り合う横組子３５の間、および、横組子３５と下桟１６の間に架け渡されている。なお、襖本体１２の開口部５は、上下方向Ｚで隣り合う横組子３５（１）と横組子３５（２）の間に設けられる。従って、横組子３５（１）と横組子３５（２）の間には縦組子３６は架け渡されていない。
【００２６】
断熱材３７は、スチレン、ウレタン、炭酸カルシウム、バーライトなどを発泡させた発泡材を枠体１１により規定される矩形のボード状に成形したものである。断熱材３７の一方の面には、横組子３５（１）、横組子３５（２）および縦組子３６と対応する部分に、当該断熱材３７の厚み方向に窪む組子収容溝３７ａが形成されている。また、断熱材３７
は、襖２の開口部５となる部分に開口部を備える。
【００２７】
芯材層３１は、断熱材３７に形成された組子収容溝３７ａに横組子３５および縦組子３６を挿入して収容することにより形成される。断熱材３７の組子収容溝３７ａに横組子３５および縦組子３６が収納されると、枠体１１の内側で、枠体１１、横組子３５および縦組子３６によって囲まれた空間は、開口部５が形成される部分を除いて、断熱材３７により占有される。
【００２８】
ここで、断熱材３７の一方の面に、横組子３５および縦組子３６と対応する組子収容溝３７ａを形成する際には、襖２の横組子３５および縦組子３６と同一の構成に組まれた金属製の格子を用意する。そして、この格子を熱した状態としてボード状の断熱材３７に押し当て、これにより、断熱材３７の格子に当接する部分を熱で溶かして組子収容溝３７ａを形成する。このようにすれば、断熱材３７に横組子３５および縦組子３６を収容する組子収容溝３７ａを形成することが容易である。
【００２９】
クラック防止層３２は、グラスファイバーメッシュ３８を備える。グラスファイバーメッシュ３８は、芯材層３１の表面の全体を覆う状態に敷設される。
【００３０】
化粧層３３は、グラスファイバーメッシュ３８の上から漆喰４０を塗り付けて形成されている。漆喰４０は、消石灰、水、および糊剤に、藁や麻、海藻などを練り合わせたものである。従って、漆喰４０の塗布により形成された化粧層３３は、自然の繊維による表面の質感が趣のある美観を生じさせる。また、また、漆喰４０には、湿度を調節して結露を抑制する調湿機能、消臭機能、防カビ機能、ホルムアルデヒドなどの化学物質を吸着して分解する機能がある。従って、漆喰４０の塗布により形成された化粧層３３を備える建具は、これらの機能を備える。
【００３１】
なお、化粧層３３の表面には、絵が描かれる場合がある。また、化粧層３３の表面には、和紙などが貼り付けられる場合がある。
【００３２】
ここで、開口部５の上端縁となる横組子３５（１）の下面には、幅方向Ｘに一定幅で延びる上側溝４１が設けられている。また、開口部５の下端縁となる横組子３５（２）の上面には、幅方向Ｘに一定幅で延びる下側溝４２が設けられている。
【００３３】
（封鎖部材）
図３は封鎖部材６の説明図である。図３では、芯材層を構成する断熱材、クラック防止層を構成するグラスファイバーメッシュ、および、化粧層を構成する漆喰を切り欠いて示す。図１に示すように、封鎖部材６は、開口部５に嵌合する形状を備え、着脱可能な状態で開口部５を封鎖する。図３に示すように、封鎖部材６は、開口部５の形状に対応する矩形の封鎖部材側枠体４５と、封鎖部材側枠体４５により囲まれた封鎖部材本体４６を備える。
【００３４】
封鎖部材側枠体４５は、封鎖部材本体４６を上下方向Ｚから挟む上枠４７および下枠４８と、封鎖部材本体４６を幅方向Ｘから挟む一対の縦枠４９、５０を備える。
【００３５】
上枠４７は、幅方向Ｘに一定幅で延びる上枠側突条５１を備える。上枠側突条５１は、襖２において開口部５の上端縁となる横組子３５（１）の下面の上側溝４１に挿入可能である。下枠４８は、幅方向Ｘに一定幅で延びる下枠側突条５２を備える。下枠側突条５２は、開口部５の下端縁となる横組子３５（２）の上面の下側溝４２に挿入可能である。一方の縦枠４９は、上枠４７の幅方向Ｘの一方の端部分と下枠４８の幅方向Ｘの一方の端部分を接続する。他方の縦枠５０は、上枠４７の幅方向Ｘの他方の端部分と下枠４８の幅方
向Ｘの他方の端部分を接続する。
【００３６】
封鎖部材本体４６は、襖２の襖本体１２と同様に、内側から外側に向って芯材層５５、クラック防止層５６、および、化粧層５７をこの順番に備える。芯材層５５は、封鎖部材側枠体４５の内側に嵌合する矩形の断熱材６０である。断熱材６０は襖本体１２の断熱材６０と同様のものである。クラック防止層５６は、芯材層５５の表面を覆う状態に敷設されたグラスファイバーメッシュ６１である。化粧層５７はグラスファイバーメッシュ６１の上から漆喰６２を塗り付けて形成されている。なお、本例では、グラスファイバーメッシュ６１は、断熱材６０の表面だけでなく封鎖部材側枠体４５の表面にも敷設されている。また、漆喰６２は、グラスファイバーメッシュ６１を敷設した封鎖部材側枠体４５の表面にも塗られている。従って、封鎖部材６は、封鎖部材本体４６および断熱材６０の表裏の面の全面が漆喰６２を塗った化粧層５７となっている。なお、化粧層５７の表面には、絵が描かれる場合がある。また、化粧層５７の表面には、和紙などが貼り付けられる場合がある。
【００３７】
ここで、封鎖部材６は、上枠側突条５１が横組子３５（１）の上側溝４１に挿入され、下枠側突条５２が横組子３５（２）の下側溝４２に挿入されることにより、開口部５に装着されて、当該開口部５を封鎖する。
【００３８】
（第１壁掛け具）
次に、図１、図４、図５を参照して第１壁掛け具３を説明する。図４（ａ）は上桟保持具本体を前方の斜め下方から見た場合の斜視図であり、図４（ｂ）は壁面に固定した上桟保持具の上側挿入部の断面図である。図５（ａ）は下桟保持具本体を前方の斜め上方から見た場合の斜視図であり、図５（ｂ）は壁面に固定した下桟保持具の下側挿入部の断面図である。図１に示すように、第１壁掛け具３は、建具の上桟１５を保持する上桟保持具６５と、上桟保持具６５に対向して配置されて建具の下桟１６を保持する下桟保持具６６を備える。
【００３９】
（上桟保持具）
上桟保持具６５は、図１に示すように、上桟保持具本体６７、ボードアンカー６８、皿ネジ６９およびナット７０を有する。上桟保持具本体６７は幅方向Ｘに延びる柱状の部材である。上桟保持具本体６７の幅寸法は襖２の幅寸法と同一である。上桟保持具本体６７の後面は壁への当接面６７ａである。
【００４０】
図４（ａ）に示すように、上桟保持具本体６７は幅方向Ｘの中央部分に上方に窪む鴨居溝７３を備える。鴨居溝７３は、上桟保持具本体６７の幅方向Ｘの中央部分を当接面６７ａの側および下面（下桟保持具６６と対向する面）の側から矩形に切り欠いて形成されている。鴨居溝７３には襖２の上桟側突条２２が挿入可能である。
【００４１】
また、上桟保持具本体６７は、幅方向Ｘ（鴨居溝７３の延設方向）で鴨居溝７３を間に挟んだ両側に上側挿入部７５を備える。上側挿入部７５は、鴨居溝７３に襖２の上桟側突条２２が挿入されたときに、襖２の上桟１５の幅方向Ｘの両端に設けられた上側切り欠き部２３に挿入される部位である。ここで、各上側挿入部７５は同様の構成を備えるので、鴨居溝７３の左側に位置する上側挿入部７５を説明して、右側の上側挿入部７５の説明を省略する。
【００４２】
上側挿入部７５は、壁への当接面６７ａを備える背板部７７と、前後方向Ｙで空間を開けて背板部７７と対向する前板部７８と、背板部７７の上端縁と前板部７８の上端縁を接続する天井板部７９を備える。また、背板部７７、前板部７８および天井板部７９の鴨居溝７３側の端縁部分を接続して封鎖する内側板部８０と、背板部７７、前板部７８および
天井板部７９の鴨居溝７３とは反対側の端縁部分を接続して封鎖する外側板部８１を備える。外側板部８１における鴨居溝７３とは反対側の面は、上桟１５保持部本体の幅方向Ｘの端面である。背板部７７には、上下方向Ｚに延びる長孔８２が設けられている。前板部７８には、前後方向Ｙから見た場合に長孔８２と重なる位置に丸孔８３が設けられている。丸孔８３の内周面は皿ネジ６９の頭部６９ａに対応するテーパー面となっている。
【００４３】
ボードアンカー６８は、図１に示すように、壁に埋め込まれるソケット８５と、ソケット８５の中空部に挿入される有頭のネジ部材８６を有する。ネジ部材８６の頭部８６ａは前板部７８の丸孔８３に挿通可能であるが、背板部７７の長孔８２に対しては挿通不能である。ネジ部材８６のネジ部８６ｂは前板部７８の丸孔８３および背板部の長孔８２に挿通可能である。ネジ部８６ｂの寸法は、上桟保持具本体６７の前後方向Ｙの寸法よりも長い。皿ネジ６９は、頭部６９ａの平面形状が六角形であり、デザイン性がある。ナット７０は、皿ネジ６９に締結される。
【００４４】
図４（ｂ）に示すように、上桟保持具本体６７を壁に固定する際には、まず、ボードアンカー６８のソケット８５を壁に埋め込む。次に、上側挿入部７５の前板部７８の丸孔８３および背板部７７の長孔８２を介してネジ部材８６のネジ部８６ｂをソケット８５に挿入する。その後、上桟保持具本体６７の後面を壁面Ｗに当接させて、ネジ部材８６の頭部８６ａが背板部７７における長孔８２の開口縁に当接するまで、ネジ部材８６をソケット８５に捩じ込む。これにより、上桟保持具本体６７は壁面Ｗに固定される。
【００４５】
ここで、上桟保持具６５は、ソケット８５を介して壁面Ｗに固定されたネジ部材８６に対して、上下方向Ｚに移動可能である。より詳細には、上桟保持具６５は、ネジ部材８６のネジ部８６ｂが長孔８２内を上下方向Ｚに相対移動可能な範囲で上下方向Ｚに移動可能である。すなわち、ネジ部材８６と長孔８２は、上桟保持具本体６７を上下方向Ｚで移動可能に支持する支持機構８８を構成しており、ソケット８５は、この支持機構８８を壁面Ｗに固定する固定部材となっている。
【００４６】
ネジ部材８６とソケット８５により上桟保持具本体６７を壁に固定した後には、前板部７８の丸孔８３に前方から皿ネジ６９を挿入する。また、前板部７８と背板部７７の間に下方からナット７０を挿入して、ナット７０を皿ネジ６９に螺合させる。これにより、丸孔８３は封鎖される。ここで、丸孔８３を封鎖する皿ネジ６９は上桟保持具６５の美観のアクセントとなる。
【００４７】
（下桟保持具）
下桟保持具６６は、図１に示すように、下桟保持具本体９１、ボードアンカー９２、皿ネジ９３およびナット９４を有する。下桟保持具本体９１は幅方向Ｘに延びる柱状の部材である。下桟保持具本体９１の幅寸法は襖２の幅寸法と同一である。下桟保持具本体９１の後面は壁への当接面９１ａである。図５（ａ）に示すように、下桟保持具本体９１は幅方向Ｘの中央部分に下方に窪む敷居溝９５を備える。敷居溝９５は、下桟保持具本体９１の幅方向Ｘの中央部分を当接面９１ａの側および上面（上桟保持具６５と対向する面）の側から矩形に切り欠いて形成されている。敷居溝９５には襖２の下桟側突条２６が挿入可能である。
【００４８】
また、下桟保持具本体９１は、幅方向Ｘ（敷居溝９５の延設方向）で敷居溝９５を間に挟んだ両端に下側挿入部９６を有する。下側挿入部９６は、下桟保持具本体９１の敷居溝９５に襖２の下桟側突条２６が挿入されたときに、襖２の下桟１６の幅方向Ｘの両端に設けられた下側切り欠き部２７に挿入される部位である。ここで、各下側挿入部９６は同様の構成を備えるので、敷居溝９５の左側に位置する下側挿入部９６を説明して、右側の下側挿入部９６の説明を省略する。
【００４９】
下側挿入部９６は、壁への当接面９１ａを備える背板部９７と、前後方向Ｙで空間を開けて背板部９７と対向する前板部９８と、背板部９７の下端縁と前板部９８の下端縁を接続する底板部９９を備える。また、背板部９７、前板部９８および天井板部７９の敷居溝９５側の端縁部分を接続して封鎖する内側板部１００と、背板部９７、前板部９８および天井板部７９の敷居溝９５とは反対側の端縁部分を接続して封鎖する外側板部１０１を備える。外側板部１０１における敷居溝９５とは反対側の面は、下桟保持具本体９１の幅方向Ｘの端面である。背板部９７には丸孔１０２が設けられている。前板部９８には、前後方向Ｙから見た場合に丸孔１０２と重なる位置に丸孔１０３が設けられている。丸孔１０３の内周面は皿ネジ９３の頭部９３ａに対応するテーパー面となっている。背板部９７の丸孔１０２は前板部９８の丸孔１０３よりも小径である。
【００５０】
ボードアンカー９２は、図１に示すように、壁に埋め込まれるソケット１０５と、ソケット１０５の中空部に挿入される有頭のネジ部材１０６を有する。ネジ部材１０６の頭部１０６ａは前板部９８の丸孔１０３に挿通可能であるが、背板部９７の丸孔１０２に対しては挿通不能である。ネジ部材１０６のネジ部１０６ｂは前板部９８の丸孔１０３および背板部９７の丸孔１０２に挿通可能である。ネジ部１０６ｂの寸法は、下桟保持具本体９１の前後方向Ｙの寸法よりも長い。皿ネジ９３は、頭部９３ａの平面形状が六角形であり、デザイン性がある。ナット９４は、皿ネジ９３に締結される。
【００５１】
下桟保持具本体９１は、上桟保持具本体６７と襖２の高さ寸法に対応する間隔を開けて壁に固定される。下桟保持具本体９１を壁に固定する際には、図５（ｂ）に示すように、まず、ボードアンカー９２のソケット１０５を壁に埋め込む。次に、下側挿入部９６の前板部９８の丸孔１０３および背板部９７の丸孔１０２を介してネジ部材１０６のネジ部１０６ｂをソケット１０５に挿入する。その後、下桟保持具本体９１の後面を壁面Ｗに当接させて、ネジ部材１０６の頭部１０６ａが背板部９７の丸孔１０２の開口縁に当接するまで、ネジ部材１０６をソケット１０５に捩じ込む。これにより、下桟保持具本体９１は壁面Ｗに固定される。なお、上桟保持具６５と同様に、下桟保持具本体９１の背板部９７の丸孔１０２を長孔として、ネジ部材１０６と長孔により下桟保持具本体９１を上下方向Ｚに移動可能に支持する移動機構を構成してもよい。
【００５２】
ネジ部材１０６とソケット１０５により下桟保持具本体９１を壁に固定した後には、前板部９８の丸孔１０３に前方から皿ネジ９３を挿入する。また、前板部９８と背板部９７の間に上方からナット９４を挿入して、ナット９４を皿ネジ９３に螺合させる。これにより、前板部９８の丸孔１０３は封鎖される。ここで、丸孔１０３を封鎖する皿ネジ９３は上桟保持具６５の美観のアクセントとなる。
【００５３】
（第２壁掛け具）
次に、図１および図６を参照して第２壁掛け具４を説明する。図６（ａ）は上枠保持具本体を前方の斜め下方から見た場合の斜視図であり、図６（ｂ）は壁面に固定した上枠保持具の断面図であり、図６（ｃ）は下枠保持具本体を前方の斜め上方から見た場合の斜視図であり、図６（ｄ）は壁面に固定した下枠保持具の断面図である。図１に示すように、第２壁掛け具４は、封鎖部材６の上枠４７を保持する上枠保持具１１１と、上枠保持具１１１に対向して配置されて封鎖部材６の下枠４８を保持する下枠保持具１１２を備える。
【００５４】
（上枠保持具）
次に、図１、図６を参照して第１壁掛け具３を説明する。図６（ａ）は上桟保持具本体を前方の斜め下方から見た場合の斜視図であり、図６（ｂ）は壁面に固定した上桟保持具の上側挿入部の断面図である。図６（ｃ）は下桟保持具本体を前方の斜め上方から見た場合の斜視図であり、図６（ｄ）は壁面に固定した下桟保持具の下側挿入部の断面図である
。図１に示すように、上枠保持具１１１は、上枠保持具本体１１３とボードアンカー１１４を備える。上枠保持具本体１１３は幅方向Ｘに延びる柱状の部材である。上枠保持具本体１１３の幅寸法は封鎖部材６の幅寸法と同一である。上枠保持具本体１１３の後面は壁への当接面１１３ａである。
【００５５】
上枠保持具本体１１３は、図６（ａ）に示すように、幅方向Ｘに一定幅で延びる天井板部１１５と、天井板部１１５の前端部分から下方に突出する前板部１１６と、天井板部１１５の後端部分から下方に突出する背板部１１７を備える。天井板部１１５、前板部１１６および背板部１１７により上溝１１３ｂが区画されている。上溝１１３ｂは、上枠保持具本体１１３の幅方向Ｘの全領域に渡って延びている。上溝１１３ｂには封鎖部材６の上枠側突条５１が挿入可能である。
【００５６】
天井板部１１５の幅方向Ｘの両端部分には、前後方向Ｙに貫通する固定孔１１８が設けられている。固定孔１１８の内周面はその前端部分が後方に向かって径が小さくなるテーパー面となっている。
【００５７】
ボードアンカー１１４は、壁に埋め込まれるソケット１２０と、ソケット１２０の中空部に挿入される有頭のネジ部材１２１を有する。ネジ部材１２１は皿ネジである。ネジ部材１２１の頭部１２１ａは、平面形状が六角形であり、デザイン性がある。ネジ部材１２１のネジ部１２１ｂの寸法は、上枠保持具本体１１３の前後方向Ｙの寸法よりも長い。
【００５８】
図６（ｂ）に示すように、上枠保持具本体１１３を壁に固定する際には、まず、ボードアンカー１１４のソケット１２０を壁に埋め込む。次に、上枠保持具本体１１３の固定孔１１８にネジ部材１２１のネジ部１２１ｂを挿入する。その後、上枠保持具本体１１３の後面を壁面Ｗに当接させて、ネジ部材１２１の頭部１２１ａが天井板部１１５における固定孔１１８の開口縁に当接するまで、ネジ部材１２１をソケット１２０に捩じ込む。これにより、上枠保持具本体１１３は壁面Ｗに固定される。ここで、ネジ部材１２１の頭部１２１ａは上枠保持具１１１の美観のアクセントとなる。
【００５９】
（下枠保持具）
下枠保持具１１２は、図１に示すように、下枠保持具本体１２５とボードアンカー１２６を備える。下枠保持具本体１２５は幅方向Ｘに延びる柱状の部材である。下枠保持具本体１２５の幅寸法は封鎖部材６の幅寸法と同一である。下枠保持具本体１２５の後面は壁への当接面１２５ａとなっている。
【００６０】
図６（ｃ）に示すように、下枠保持具本体１２５は、幅方向Ｘに一定幅で延びる底板部１２７と、底板部１２７の前端部分から上方に突出する前板部１２８と、底板部１２７の後端部分から上方に突出する背板部１２９を備える。底板部１２７、前板部１２８および背板部１２９により下溝１２５ｂが区画されている。下溝１２５ｂは、下枠保持具本体１２５の幅方向Ｘの全領域に渡って延びている。下溝１２５ｂには封鎖部材６の下枠側突条５２が挿入可能である。
【００６１】
底板部１２７の幅方向Ｘの両端部分には、前後方向Ｙに貫通する固定孔１３０が設けられている。固定孔１３０の内周面はその前端部分が後方に向かって径が小さくなるテーパー面となっている。
【００６２】
ボードアンカー１２６は、壁に埋め込まれるソケット１３１と、ソケット１３１の中空部に挿入される有頭のネジ部材１３２を有する。ネジ部材１３２は皿ネジである。ネジ部材１３２の頭部１３２ａは、平面形状が六角形であり、デザイン性がある。ネジ部材１３２のネジ部１３２ｂの寸法は、下枠保持具本体１２５の前後方向Ｙの寸法よりも長い。
【００６３】
下枠保持具本体１２５は、上枠保持具本体１１３と封鎖部材６の高さ寸法に対応する間隔を開けて壁に固定される。図６（ｄ）に示すように、下枠保持具本体１２５を壁に固定する際には、まず、ボードアンカー１２６のソケット１３１を壁に埋め込む。次に、下枠保持具本体１２５の固定孔１３０にネジ部材１３２のネジ部１３２ｂを挿入する。その後、下枠保持具本体１２５の後面を壁面Ｗに当接させて、ネジ部材１３２の頭部１３２ａが底板部１２７における固定孔１３０の開口縁に当接するまで、ネジ部材１３２をソケット１３１に捩じ込む。これにより、下枠保持具本体１２５は壁面Ｗに固定される。ここで、ネジ部材１３２の頭部１３２ａは下枠保持具１１２の美観のアクセントとなる。
【００６４】
（襖の壁への飾り付け）
ここで、風通しの確保や採光のために、部屋を仕切る襖２を取り外して、屋内に開放的な空間を設けることがある。このようなときに、本例では、取り外した襖２を、第１壁掛け具３を利用して壁に飾り、インテリアとして利用できる。図７（ａ）は襖２を壁に飾り付けた状態の説明図であり、図７（ｂ）は封鎖部材６を壁に飾り付けた状態の説明図である。
【００６５】
襖２を壁に飾り付ける際には、第１壁掛け具３の上桟保持具６５と下桟保持具６６を襖２の上下方向Ｚの高さ寸法に対応する間隔を開けて、壁面Ｗに固定する。しかる後に、襖２の上桟側突条２２を上桟保持具６５の鴨居溝７３に挿入し、襖２の上桟１５に設けた上側切り欠き部２３に上桟保持具６５の上側挿入部７５を挿入する。また、襖２の下桟側突条２６を下桟保持具６６の敷居溝９５に挿入し、襖２の下桟１６に設けた下側切り欠き部２７に下桟保持具６６の下側挿入部９６を挿入する。これにより、襖２は、図７（ａ）に示すように、上桟保持具６５と下桟保持具６６の間に保持された状態で壁面Ｗに飾り付けられる。
【００６６】
ここで、図４（ｂ）に示すように、上桟保持具６５では、上桟保持具本体６７に設けた長孔８２とボードアンカー６８のネジ部材８６が上桟保持具本体６７を上下方向Ｚに移動可能に支持する支持機構８８を構成している。従って、上桟保持具６５と下桟保持具６６の間に襖２を保持した後に、上桟保持具本体６７を下桟保持具６６に接近する方向に移動させて、襖２と上桟保持具本体６７を隙間なく密着させることができる。これにより、第１壁掛け具３を用いて襖２を壁に飾り付けたときの美観が向上する。
【００６７】
また、襖本体１２の表面には漆喰４０が塗布され、封鎖部材６の表面には漆喰６２が塗布されている。漆喰４０、６２が塗布された襖２の表面は、自然の繊維などによる表面の質感が趣のある美観を生じさせる。従って、間仕切りとして用いていた襖２を壁に飾り付けた場合に、空間を演出できる。さらに、漆喰４０、６２が塗布された建具の表面は、調湿機能、消臭機能、防カビ機能、化学物質の吸着分解機能を有するので、襖２を壁面Ｗに飾れば、これらの機能の恩恵を受けることができる。
【００６８】
さらに、本例では、第１壁掛け具３によって襖２を保持したときに、上桟保持具本体６７の幅方向Ｘの両端に設けた上側挿入部７５が、襖２の上桟１５の幅方向Ｘの両端に設けた上側切り欠き部２３に挿入される。同様に、第１壁掛け具３によって襖２を保持したときに、下桟保持具本体９１の幅方向Ｘの両端に設けた下側挿入部９６が、襖２の下桟１６の幅方向Ｘの両端に設けた下側切り欠き部２７に挿入される。これにより、第１壁掛け具３に保持された襖２が幅方向Ｘに移動することがないので、襖２が第１壁掛け具３から幅方向Ｘに落下することを防止できる。また、第１壁掛け具３に保持された襖２が幅方向Ｘに移動することがないので、第１壁掛け具３を利用して襖２を横向きにした状態で壁に飾り付けることもできる。すなわち、上桟保持具６５と下桟保持具６６を水平方向で対向させて壁に固定し、これらの間に襖２を保持させることも可能である。
【００６９】
（封鎖部材の壁への飾り付け）
また、風通しの確保や採光のために、部屋を仕切る襖２から封鎖部材６を外すことがある。このようなときに、本例では、取り外した封鎖部材６を、第２壁掛け具４を利用して壁に飾り、インテリアとして利用できる。
【００７０】
封鎖部材６を壁に飾り付ける際には、第２壁掛け具４の上枠保持具１１１と下枠保持具１１２を、封鎖部材６の上下方向Ｚの高さ寸法に対応する間隔を開けて壁面Ｗに固定する。しかる後に、封鎖部材６の上桟側突条２２を上枠保持具本体１１３の上溝１１３ｂに挿入し、下桟側突条２６を下枠保持具本体１２５の下溝１２５ｂに挿入する。これにより、図７（ｂ）に示すように、封鎖部材６は、上枠保持具１１１と下枠保持具１１２の間に保持された状態で壁面Ｗに飾り付けられる。
【００７１】
本例では、上枠保持具１１１と下枠保持具１１２の離間寸法を封鎖部材６の高さ寸法に対応する寸法として、封鎖部材６を上枠保持具１１１と下枠保持具１１２の側方（幅方向Ｘ）から、これらの間に挿入できる。従って、封鎖部材６と上枠保持具本体１１３を隙間なく密着させることができる。よって、第２壁掛け具４を用いて封鎖部材６を壁に飾り付けたときの美観が向上する。
【００７２】
また、本例では、封鎖部材６の表面には漆喰６２が塗布されている。従って、封鎖部材６を壁に飾り付けたときに、自然の繊維などによる表面の質感が趣のある美観を生じさせる。また、漆喰６２が塗布された封鎖部材６は、調湿機能、消臭機能、防カビ機能、化学物質の吸着分解機能を有するので、封鎖部材６を壁面Ｗに飾れば、これらの機能の恩恵を受けることができる。
【００７３】
ここで、封鎖部材６は建具と比較して小さくて軽い部材なので、下枠保持具１１２のみにより、壁に飾ることもできる。すなわち、第２壁掛け具４を下枠保持具１１２およびアンカーボルトから構成してもよい。
【００７４】
なお、封鎖部材６の上枠４７の幅方向Ｘの両端に切り欠き部を形成するとともに、上枠保持具本体１１３に切り欠き部に挿入可能な挿入部を備えることもできる。この場合には、上枠保持具１１１を上桟保持具６５と同様の構成を備えるものとすることができる。また、封鎖部材６の下枠４８の幅方向Ｘの両端に切り欠き部を形成するとともに、下枠保持具本体１２５に切り欠き部に挿入可能な挿入部を備えることもできる。この場合には、下枠保持具１１２を下桟保持具６６と同様の構成を備えるものとすることができる。このようにすれば、封鎖部材６が第２壁掛け具４から幅方向Ｘに落下することを防止できる。また、上枠保持具１１１と下枠保持具１１２を水平方向で対向させて壁に固定し、これらの間に封鎖部材６を保持させることも可能となる。
【００７５】
なお、上記の例では、襖セット１は、襖２と、第１壁掛け具３と、第２壁掛け具４を有するものであるが、襖２と第２壁掛け具４から襖セットを構成してもよい。また、襖２が開口部５および封鎖部材６を有さない場合には、襖２と第１壁掛け具３から襖セットを構成できる。
【符号の説明】
【００７６】
１・・・襖セット（建具セット）
２・・・襖（建具）
３・・・第１壁掛け具（壁掛け具）
４・・・第２壁掛け具（第２の壁掛け具）
５・・・開口部
６・・・封鎖部材（建具部分）
１２・・・襖本体（建具本体）
１５・・・上桟
１６・・・下桟
２３・・・上側切り欠き部（切り欠き部）
４０・・・漆喰
６５・・・上桟保持具
６６・・・下桟保持具
６７・・・上側保持具本体（保持具本体）
７３・・・鴨居溝
７５・・・上側挿入部
８８・・・支持機構
９５・・・敷居溝
Ｘ・・・幅方向
【図１】
2016176227.tif 000003
【図２】
2016176227.tif 000004
【図３】
2016176227.tif 000005
【図４】
2016176227.tif 000006
【図５】
2016176227.tif 000007
【図６】
2016176227.tif 000008
【図７】
2016176227.tif 000009